(57)【要約】      （修正有） 【課題】杖を身体に一体化させて取り付けることができ、杖の置場に困ることもなく、置き忘れもしなくなり、杖を持つことで、片手が塞がることもない杖補助器具を提供する。【解決手段】ヒンジ１１で連結された一対のピンチ１と、この一対のピンチを挟む方向に付勢するバネと、一対のピンチそれぞれに形成されたレバーと、一対のピンチの内側に設けられたクリップ３と、を有し、内側のクリップで杖を固定し、外側のピンチで衣服等を挟む。レバーの内側部と外側部の間にヒンジを設け、折りたたんでコンパクト化できるようにしてもよい。【選択図】図４
0003195398.tif 000002
【実用新案登録請求の範囲】
【請求項１】
ヒンジで連結された一対のピンチと、この一対のピンチを挟む方向に付勢するバネと、前記一対のピンチそれぞれに形成されたレバーと、前記一対のピンチの内側に設けられたクリップと、を有し、内側の前記クリップで杖を固定し、外側のピンチで衣服等を挟むことを特徴とするピンチクリップ式杖補助器具。
【請求項２】
前期レバーの内側部と外側部の間にヒンジを設けることにより、前記外側部を折りたたむことができるようにしたことを特徴とする請求項１記載のピンチクリップ式杖補助器具。
【考案の詳細な説明】
【技術分野】
【０００１】
本考案は、ピンチとクリップを利用した杖補助器具に関する。
【背景技術】
【０００２】
杖は高齢者だけでなく、足の不自由な方や目の不自由な方にとって、必要不可欠なものである。しかしながら、杖は立て掛ければ滑り落ち、脇に狭めば、本人やまわりの人々にも危険である。杖を持つことで片手が塞がり、金品の出し入れの時に困っている人をよく見かける。また、公園やバス停のベンチに座っている時にも、杖の置場所に困っている人は多い。さらに、置き忘れもある。下記の特許文献１では、ストラップ式になっており、このストラップを手首に掛けることにより、杖を保持する技術が記載されている。又、杖にフックのようなものを取り付け、カウンター等に引掛けるように構成されたものもある。
【特許文献１】特開2005-253662号公報
【考案の開示】
【考案が解決しようとする課題】
【０００３】
しかしながら、ストラップ式は、ストラップを手首に通したり、はずしたりしなければならず、スムーズな取り扱いがむずかしく、手首に通した杖はブラブラと、不安定である。また、フックを有するものでは、引掛ける場所は特定されてしまうし、身体に取り付けることもできない。本案は、このような不自由さ、不便さの少なくとも一つを軽減するものである杖補助器具を提案することを課題とする。
【課題を解決するための手段】
【０００４】
この目的を達成するための本考案のピンチクリップ式杖補助器具は、ヒンジ（回転連結構造又はつ枢着構造）で連結された一対のピンチと、この一対のピンチを挟む方向に付勢するバネと、前記一対のピンチそれぞれに形成されたレバーと、前記一対のピンチの内側に設けられたクリップとを有し、内側の前記クリップで杖を固定し、外側のピンチで衣服等を挟むものである。レバーの内側部と外側部の間にヒンジ（回転連結構造、例えば蝶番）を設けることにより、前記外側部を折りたたむことができるようにすることもできる。
【考案の効果】
【０００５】
クリップで杖を固定し、ピンチで衣服等を挟むことにより、杖を身体に一体化させて取り付けておくことができ、杖の置場に困ることもなく、置き忘れもしなくなり、杖を持つことで、片手が塞がることによる不自由さ不便さを軽減できる。
【図面の簡単な説明】
【０００６】
【図１】ピンチクリップ式杖補助器具の側面からみた図
【図２】ピンチクリップ式杖補助器具の側面からみた折りたたみ図
【図３】ピンチクリップ式杖補助器具の内側クリップの側面からみた図
【図４】ピンチクリップ式杖補助器具の開いた状態の正面からみた図
【図５】ピンチクリップ式杖補助器具の真上からみた図
【図６】ピンチクリップ式杖補助器具の布地等を挟んだ状態の側面からみた図
【図７】ピンチクリップ式杖補助器具の実際の衣服に使用した時の側面からみた図
【図８】ピンチクリップ式杖補助器具の実際のバック等の取手に使用した時の状態を側面からみた図
【図９】ピンチクリップ式杖補助器具の実際のカートに使用した時の状態を側面からみた図
【図１０】ピンチクリップ式杖補助器具の実際のカウンターや台に使用した時の側面からみた図
【図１１】ピンチクリップ式杖補助器具を杖に取り付ける時の側面からみた図
【図１２】ピンチクリップ式杖補助器具の杖から取り外す時の側面からみた図
【考案を実施するための形態】
【０００７】
本考案は外側に一対のピンチ１、内側にクリップ３を備えた杖補助器具５であり、内側のクリップ３は杖７を固定し、外側のピンチ１は杖７と人９とを一体化するものである。杖補助器具５は、ヒンジ１１（ピンチ１を開いたり閉じたりするための回転連結構造）で連結された一対のピンチ１と、このピンチ１を挟む方向に、付勢するように取り付けられたバネ１３と、それぞれに形成されたレバー１５を有する（図１）。このレバー１５は、握り易くするために大きめになっているが、内側部１４と、外側部１６として分割するとともに、内側部１４と外側部１６をヒンジ１７で取り付け、外側部１６を内側部１４の外側にして、折り畳むことができるようにレバーの蝶番が構成され、コンパクトな大きさになるように工夫されている（図２）。ヒンジ１７（蝶番）は、外側部１６が、内側に折れ曲がらないように構成されている。また、ピンチ１の衣服等を挟む役目をする先端の三辺外縁部にゴム製のふち部材１９を取り付け、厚手の布や、滑り易い材質にも対応できるように工夫されている。前記一対のピンチ１の内側にあるクリップ３は、C形であり、杖７を固定するものであるが、杖７を差し込み易くするために、先端開口部分２１を少し外側にそらせてある（図３）。クリップ３の直径の大きさは杖７より少し小さめで、多少の杖７の大きさの違いには対応できるようになっている。このそれぞれの特徴を持ったピンチ１とクリップ３を合体させることにより、ピンチクリップ式杖補助器具は構成されたものであり、人と杖を一体化させ、杖を持つことによる不自由さ不便さを軽減するものである。
【０００８】
一般的に杖補助器具として現在使われているストラップ式保持具は、杖を台やカウンターに置くために別のフックを必要とするが、このピンチクリップ式杖補助器具５は、ピンチ１の部分が、フックの役目を果たし、ピンチ１の三辺が、ゴム製ふち部材１９で囲まれているため、滑り易い場所や狭い場所でも適応できる（図１０参照）。
【０００９】
ピンチクリップ式杖補助器具５のレバー１５部分は少し大きめになっているが、中央固所をヒンジ１７で連結させ、半分に折り畳むことで杖使用時もコンパクトで邪魔にならないようになっている。
【００１０】
ピンチクリップ式杖補助器具５は、図８のように、衣服（図６及び図７参照）だけでなく、バックやスーパーの袋など、どこでもピンチ１で挟むことができる。また、多くの店で使用されているカートにも、図９のように挟むことができる。  
【００１１】
ピンチクリップ式杖補助器具５は、杖の形や材質に制限されず、取り付け可能である。また、杖に限らずクリップの大きさを変えることで、傘やつり竿等の棒状のものにも応用使用できる。
【００１２】
ヒンジ１１部分の中心に、穴２２が設けられており、その穴２２に割鋲２３等を挿入し、クリップ３をピンチ１又はピンチ１のヒンジ１１部分に固定するという構造になっている（図４及び図５）。
【００１３】
ヒンジ１１を中心として、レバー１５を矢印Bの方向に狭めると、ピンチ１は開き、レバー１５の押圧力をゆるめ、ヒンジ１１を中心として、レバー１５を矢印Aの方向に開かせると、ピンチ１は閉じる。
【００１４】
ピンチクリップ式補助器具５を杖７に取り付ける時は、レバー１５を矢印Bの方向に狭め、ピンチ１を開き、クリップ３の先端部aからクリップ３の後端分bへ向けて矢印Cの方向へクリップ３を杖７に押し付けるようにはめ込む。
【００１５】
ピンチクリップ式補助器具５を杖７から取り外す時は、レバー１５を矢印Bの方向に狭め、ピンチ１を開き、クリップ３を後端分bを先端部aに向けて矢印Dの方向へ杖７から引き上げるようにして外す。
【符号の説明】
【００１６】
１  ピンチ
３  クリップ  
５  ピンチクリップ式杖補助器具
７  杖
９  人
１１  ピンチのヒンジ
１３  ばね
１４  内側部レバー
１５  レバー
１６  外側部レバー
１７  レバーのヒンジ
１９  ゴム製ふち部材
２１  クリップ先端開口部
２２  穴
２３  割鋲
【図１】
0003195398.tif 000003
【図２】
0003195398.tif 000004
【図３】
0003195398.tif 000005
【図４】
0003195398.tif 000006
【図５】
0003195398.tif 000007
【図６】
0003195398.tif 000008
【図７】
0003195398.tif 000009
【図８】
0003195398.tif 000010
【図９】
0003195398.tif 000011
【図１０】
0003195398.tif 000012
【図１１】
0003195398.tif 000013
【図１２】
0003195398.tif 000014